(57)【要約】【課題】感電事故の発生を抑制できるアースフックユニットを提供すること。【解決手段】アースフックユニットは、操作棒と、把持具と、ベースユニットと、接地端子ユニットと、ロックユニットと、を備える。操作棒は、第１シャフト、及び第１シャフトに対して相対回転できるように第１シャフトに連結される第２シャフトを有する。把持具は、第２シャフトの回転に応じて開閉するフックを有する。ベースユニットは、接地極に取り付けられる。接地端子ユニットは、把持具と電気的に接続される。ロックユニットは、ケース、及びケースから出入りできるロック部材を有する。ロックユニットを用いて接地端子ユニットがベースユニットに固定されると、ロック部材がケースから突出する。ロック部材がケースから突出した状態のロックユニットは、第１シャフト及び第２シャフトの相対回転を規制できる。【選択図】図１
2019033646.tif 000002
【特許請求の範囲】
【請求項１】
第１シャフト、及び前記第１シャフトに対して相対回転できるように前記第１シャフトに連結される第２シャフトを有する操作棒と、
前記第２シャフトの回転に応じて開閉するフックを有する把持具と、
接地極に取り付けられるベースユニットと、
前記把持具と電気的に接続される接地端子ユニットと、
ケース、及び前記ケースから出入りできるロック部材を有するロックユニットと、
を備え、
前記ロックユニットを用いて前記接地端子ユニットが前記ベースユニットに固定されると、前記ロック部材が前記ケースから突出し、
前記ロック部材が前記ケースから突出した状態の前記ロックユニットは、前記第１シャフト及び前記第２シャフトの相対回転を規制できる
アースフックユニット。
【請求項２】
前記第１シャフトの外周に設けられるシリンダーを備え、
前記第２シャフトの少なくとも一部は、前記第１シャフトの内側に位置し、
前記第１シャフトは、第１孔を備え、
前記第２シャフトは、前記第１孔に重なる第２孔を備え、
前記シリンダーは、前記第１孔に重なるシリンダー雌ネジを備え、
前記ロック部材は、前記シリンダー雌ネジに噛み合い且つ前記第１孔を貫通するロック雄ネジを備える
請求項１に記載のアースフックユニット。
【請求項３】
前記第２シャフトの外周に設けられるシリンダーを備え、
前記第１シャフトの少なくとも一部は、前記第２シャフトの内側に位置し、
前記第１シャフトは、第１孔を備え、
前記第２シャフトは、前記第１孔に重なる第２孔を備え、
前記シリンダーは、前記第２孔に重なるシリンダー雌ネジを備え、
前記ロック部材は、前記シリンダー雌ネジに噛み合い且つ前記第２孔を貫通するロック雄ネジを備える
請求項１に記載のアースフックユニット。
【請求項４】
前記ベースユニットは、第１金属プレートと、前記第１金属プレートから突出するベース雄ネジと、前記ベース雄ネジの先端に設けられた凸部と、前記ベース雄ネジに取り付けられたナットと、を備え、
前記接地端子ユニットは、前記ベース雄ネジに嵌まる第２金属プレートを備え、
前記ケースは、前記ナットが嵌まるナット溝と、前記ナット溝に繋がるケース雌ネジと、前記ケース雌ネジに繋がり前記ケースの外部に開口するケース孔と、を備え、
前記ロック部材は、前記凸部に嵌まる凹部を有すると共に前記ケース雌ネジに噛み合うネジ山を有する頭部を備え、前記ケース孔を貫通する
請求項１から３のいずれか１項に記載のアースフックユニット。
【発明の詳細な説明】
【技術分野】
【０００１】
本発明は、アースフックユニットに関する。
【背景技術】
【０００２】
架空送電線（以下、電線という）に対する工事においては、作業対象である電線は停電させられる。一方、作業対象でない電線には電気が流れている。このため、作業対象である電線には誘導電流が生じる。また、誤動作によって作業対象である電線に電流が生じる可能性がある。このため、作業員の安全を確保するために、作業対象である電線を鉄塔等に接地する必要がある。特許文献１には、電線を鉄塔に接地するための接地用具の一例が記載されている。特許文献１の接地用具は、取り付け手順又は取り外し手順の誤りによる感電事故を防ぐために、インターロック金具がロックプレートに接合している限り絶縁棒を伸ばすことができない構造を有している。
【先行技術文献】
【特許文献】
【０００３】
【特許文献１】特開２００９−７７５９３号公報
【発明の概要】
【発明が解決しようとする課題】
【０００４】
特許文献１の接地用具を用いた場合、鉄塔から電線までの距離によっては、インターロック金具を鉄塔に取り付ける前に把持金具を電線に取り付けることが可能である。このため、感電事故が生じる可能性があった。
【０００５】
本開示は、上記に鑑みてなされたものであって、感電事故の発生を抑制できるアースフックユニットを提供することを目的とする。
【課題を解決するための手段】
【０００６】
上記の目的を達成するため、本開示のアースフックユニットは、第１シャフト、及び前記第１シャフトに対して相対回転できるように前記第１シャフトに連結される第２シャフトを有する操作棒と、前記第２シャフトの回転に応じて開閉するフックを有する把持具と、接地極に取り付けられるベースユニットと、前記把持具と電気的に接続される接地端子ユニットと、ケース、及び前記ケースから出入りできるロック部材を有するロックユニットと、を備え、前記ロックユニットを用いて前記接地端子ユニットが前記ベースユニットに固定されると、前記ロック部材が前記ケースから突出し、前記ロック部材が前記ケースから突出した状態の前記ロックユニットは、前記第１シャフト及び前記第２シャフトの相対回転を規制できる。
【０００７】
これにより、接地端子ユニットがベースユニットに固定されない限り、第１シャフト及び第２シャフトは相対回転する。この状態では、作業員は、フックを開閉できないので、把持具を電線に取り付けられない。すなわち、作業員は、接地端子ユニットをベースユニットに固定した後でなければ、把持具を電線に取り付けられない。このため、作業員が把持具を電線に取り付ける時点では、接地端子ユニットがベースユニットに固定されているので、電線の電気は接地極に流れる。したがって、アースフックユニットは、感電事故の発生を抑制できる。
【０００８】
本開示のアースフックユニットの望ましい態様として、前記第１シャフトの外周に設けられるシリンダーを備え、前記第２シャフトの少なくとも一部は、前記第１シャフトの内側に位置し、前記第１シャフトは、第１孔を備え、前記第２シャフトは、前記第１孔に重なる第２孔を備え、前記シリンダーは、前記第１孔に重なるシリンダー雌ネジを備え、前記ロック部材は、前記シリンダー雌ネジに噛み合い且つ前記第１孔を貫通するロック雄ネジを備える。
【０００９】
これにより、ロック雄ネジがシリンダー雌ネジに固定されるので、ロック部材の操作棒からの脱落が抑制される。このため、フックを開閉する作業がより容易になる。
【００１０】
本開示のアースフックユニットの望ましい態様として、前記第２シャフトの外周に設けられるシリンダーを備え、前記第１シャフトの少なくとも一部は、前記第２シャフトの内側に位置し、前記第１シャフトは、第１孔を備え、前記第２シャフトは、前記第１孔に重なる第２孔を備え、前記シリンダーは、前記第２孔に重なるシリンダー雌ネジを備え、前記ロック部材は、前記シリンダー雌ネジに噛み合い且つ前記第２孔を貫通するロック雄ネジを備える。
【００１１】
これにより、ロック雄ネジがシリンダー雌ネジに固定されるので、ロック部材の操作棒からの脱落が抑制される。このため、フックを開閉する作業がより容易になる。
【００１２】
本開示のアースフックユニットの望ましい態様として、前記ベースユニットは、第１金属プレートと、前記第１金属プレートから突出するベース雄ネジと、前記ベース雄ネジの先端に設けられた凸部と、前記ベース雄ネジに取り付けられたナットと、を備え、前記接地端子ユニットは、前記ベース雄ネジに嵌まる第２金属プレートを備え、前記ケースは、前記ナットが嵌まるナット溝と、前記ナット溝に繋がるケース雌ネジと、前記ケース雌ネジに繋がり前記ケースの外部に開口するケース孔と、を備え、前記ロック部材は、前記凸部に嵌まる凹部を有すると共に前記ケース雌ネジに噛み合うネジ山を有する頭部を備え、前記ケース孔を貫通する。
【００１３】
これにより、ナットがナット溝に嵌まった状態でロックユニットが回転させられると、第２金属プレートが第１金属プレートに接してベースユニットに固定される。これと同時に、ロック部材のうちケースから突出する部分が長くなる。このため、作業員は、第２金属プレートをベースユニットに固定する作業を行わない限り、フックを開閉できない。このため、必然的に、作業員は、第２金属プレートをベースユニットに固定する作業を、電線に把持具を取り付ける作業よりも先に行うことになる。したがって、アースフックユニットは、感電事故の発生を抑制できる。
【発明の効果】
【００１４】
本開示によれば、感電事故の発生を抑制できるアースフックユニットを提供することができる。
【図面の簡単な説明】
【００１５】
【図１】図１は、本実施形態のアースフックユニットの概略図である。
【図２】図２は、第１シャフト及び第２シャフトの接続部分の正面図である。
【図３】図３は、図２におけるＡ−Ａ断面図である。
【図４】図４は、図２におけるＢ−Ｂ断面図である。
【図５】図５は、把持具の正面図である。
【図６】図６は、本実施形態のベースユニットの正面図である。
【図７】図７は、本実施形態のベースユニットの左側面図である。
【図８】図８は、本実施形態のベースユニットの平面図である。
【図９】図９は、本実施形態の接地端子ユニットの正面図である。
【図１０】図１０は、本実施形態の接地端子ユニットの左側面図である。
【図１１】図１１は、本実施形態のロックユニットの正面図である。
【図１２】図１２は、本実施形態のロックユニットの左側面図である。
【図１３】図１３は、本実施形態のロックユニットの背面図である。
【図１４】図１４は、図１３におけるＣ−Ｃ断面図である。
【図１５】図１５は、アースフックユニットを用いた接地方法を示すフローチャートである。
【図１６】図１６は、アースフックユニットを用いた接地方法の一工程を示す図である。
【図１７】図１７は、アースフックユニットを用いた接地方法の一工程を示す図である。
【図１８】図１８は、アースフックユニットを用いた接地方法の一工程を示す図である。
【図１９】図１９は、アースフックユニットを用いた接地方法の一工程を示す図である。
【図２０】図２０は、アースフックユニットを用いた接地方法の一工程を示す図である。
【図２１】図２１は、アースフックユニットを用いた接地方法の一工程を示す図である。
【図２２】図２２は、アースフックユニットを用いた接地方法の一工程を示す図である。
【図２３】図２３は、アースフックユニットを用いた接地方法の一工程を示す図である。
【図２４】図２４は、アースフックユニットを用いた接地方法の一工程を示す図である。
【図２５】図２５は、アースフックユニットを用いた接地解除方法を示すフローチャートである。
【図２６】図２６は、アースフックユニットを用いた接地解除方法の一工程を示す図である。
【図２７】図２７は、アースフックユニットを用いた接地解除方法の一工程を示す図である。
【図２８】図２８は、アースフックユニットを用いた接地解除方法の一工程を示す図である。
【図２９】図２９は、変形例のアースフックユニットの概略図である。
【図３０】図３０は、変形例のシリンダーの正面図である。
【図３１】図３１は、図３０におけるＤ−Ｄ断面図である。
【発明を実施するための形態】
【００１６】
以下、本発明につき図面を参照しつつ詳細に説明する。なお、下記の発明を実施するための形態（以下、実施形態という）により本発明が限定されるものではない。また、下記実施形態における構成要素には、当業者が容易に想定できるもの、実質的に同一のもの、いわゆる均等の範囲のものが含まれる。さらに、下記実施形態で開示した構成要素は適宜組み合わせることが可能である。
【００１７】
（実施形態）
図１は、本実施形態のアースフックユニットの概略図である。本実施形態のアースフックユニット１は、架空送電線（以下、電線という）に対する作業に用いられる。アースフックユニット１は、電線Ｗ（図５参照）の電気を接地極１００（図１６参照）に伝えるための装置である。図１に示すように、アースフックユニット１は、操作棒２と、シリンダー３と、把持具９と、ベースユニット５と、接地端子ユニット６と、接地ケーブル１１と、ロックユニット７と、連結紐１２と、を備える。
【００１８】
図２は、第１シャフト及び第２シャフトの接続部分の正面図である。図３は、図２におけるＡ−Ａ断面図である。図４は、図２におけるＢ−Ｂ断面図である。図５は、把持具の正面図である。図１に示すように、操作棒２は、第１シャフト２１と、第２シャフト２２と、を備える。第１シャフト２１は、操作棒２のうち作業員が把持する部材である。第１シャフト２１は、絶縁性の材料で形成されている。例えば、第１シャフト２１は略円筒状の部材である。第１シャフト２１は、長手方向に伸縮自在であることが好ましい。図３及び図４に示すように、第１シャフト２１は、貫通孔である第１孔２１０を備える。第２シャフト２２は、絶縁性の材料で形成されている。例えば、第２シャフト２２は、略円筒状の部材である。図３及び図４に示すように、第２シャフト２２は、貫通孔である第２孔２２０を備える。
【００１９】
図４に示すように、第２シャフト２２の一部が第１シャフト２１の内側に挿入されている。例えば、第２シャフト２２の外径は第１シャフト２１の内径に略等しい。第２シャフト２２は、第１シャフト２１に対して相対回転できるように第１シャフト２１に連結されている。例えば、図４に示すように、第１シャフト２１がストッパー２１５を備えており、第２シャフト２２が環状溝２２５を備えている。ストッパー２１５は、環状溝２２５に嵌まっている。これにより、第２シャフト２２が第１シャフト２１に対して相対回転できる。また、第２シャフト２２が第１シャフト２１から抜け落ちない。
【００２０】
図３に示すように、シリンダー３は、第１シャフト２１に設けられている。より具体的には、シリンダー３は、第１シャフト２１の外周面にネジ等によって取り付けられている。例えば、シリンダー３は環状の部材である。シリンダー３は、操作棒２の長手方向（以下、軸方向という）に対する直交方向（以下、径方向という）において、第１シャフト２１及び第２シャフト２２に重なっている。図３に示すように、シリンダー３は、シリンダー雌ネジ３０を備える。シリンダー雌ネジ３０は、内周面にネジ山を有する。軸方向におけるシリンダー雌ネジ３０は、軸方向における第１孔２１０の位置及び軸方向における第２孔２２０の位置に等しい。シリンダー雌ネジ３０は、第１孔２１０に重なっている。シリンダー雌ネジ３０は、第２シャフト２２の回転角度に応じて第２孔２２０に重なることができる。
【００２１】
図５に示すように、把持具９は、第２シャフト２２の先端に取り付けられている。把持具９は、電線Ｗを把持するための部材であって、電線Ｗの電気を接地ケーブル１１に伝える。把持具９は、基部９１と、回転棒９３と、第１歯車９４と、第２歯車９５と、フック９２と、ケーブル支持部９７と、を備える。
【００２２】
基部９１は、金属で形成されており、回転棒９３、第１歯車９４及び第２歯車９５を内蔵している。回転棒９３は、第２シャフト２２に取り付けられており、第２シャフト２２と共に回転する。回転棒９３は、例えば軸受等を介して基部９１に連結されている。このため、回転棒９３は、基部９１に対して相対回転できる。回転棒９３は、ネジ山９３１を有する。第１歯車９４は、例えば平歯車である。回転棒９３のネジ山９３１が、第１歯車９４の歯に噛み合っている。第１歯車９４は、回転棒９３の回転軸に対して直交する回転軸を中心に回転する。第２歯車９５は、例えばセクター歯車である。第１歯車９４の歯は、第２歯車９５の歯に噛み合っている。第２歯車９５は、第１歯車９４の回転軸に平行な回転軸を中心に回転する。フック９２は、第２歯車９５に連結されている。このため、第２シャフト２２が回転すると、フック９２が基部９１に近付く方向及び基部９１から遠ざかる方向に移動する。すなわち、第２シャフト２２の回転に応じてフック９２が開閉する。ケーブル支持部９７は、基部９１の外表面に設けられており、接地ケーブル１１に連結されている。電線Ｗが基部９１に接すると、電線Ｗの電気は、基部９１及びケーブル支持部９７を介して接地ケーブル１１に伝わる。
【００２３】
図６は、本実施形態のベースユニットの正面図である。図７は、本実施形態のベースユニットの左側面図である。図８は、本実施形態のベースユニットの平面図である。ベースユニット５は、接地極１００（図１６参照）に取り付けられる部材である。図６から図８に示すように、ベースユニット５は、第１金属プレート５１と、ベース雄ネジ５３と、凸部５５と、ナット５７と、ワッシャ５８と、を備える。
【００２４】
第１金属プレート５１は、金属で形成されており、図６に示すように締結部材を通すための孔５２を備える。図７に示すように、ベース雄ネジ５３は、第１金属プレート５１から第１金属プレート５１に対して直交する方向に突出する。凸部５５は、ベース雄ネジ５３の先端からベース雄ネジ５３の長手方向に沿って突出している。図６に示すように、凸部５５は、ベース雄ネジ５３の長手方向から見て矩形である。ナット５７は、ベース雄ネジ５３に取り付けられている。ワッシャ５８は、ベース雄ネジ５３に取り付けられており、ナット５７の第１金属プレート５１側の表面に接している。
【００２５】
図９は、本実施形態の接地端子ユニットの正面図である。図１０は、本実施形態の接地端子ユニットの左側面図である。接地端子ユニット６は、ベースユニット５に取り付けられる部材である。接地端子ユニット６は、接地ケーブル１１に伝わった電気をベースユニット５に伝える。図９及び図１０に示すように、接地端子ユニット６は、第２金属プレート６１と、ケーブル固定部材６３と、を備える。
【００２６】
第２金属プレート６１は、金属で形成されており、図９に示すようにスリット６２を備える。スリット６２は、横スリット６２１と、縦スリット６２２と、を含む。横スリット６２１は、第２金属プレート６１の一辺で開口している。縦スリット６２２は、横スリット６２１と交差する。横スリット６２１の短手方向の幅及び縦スリット６２２の短手方向の幅は、ベースユニット５のベース雄ネジ５３の直径以上である。ケーブル固定部材６３は、例えばボルト６４及びナット６５を含む。ボルト６４及びナット６５により、接地ケーブル１１が第２金属プレート６１に固定されている。接地ケーブル１１により、接地端子ユニット６は、把持具９と電気的に接続されている。
【００２７】
図１１は、本実施形態のロックユニットの正面図である。図１２は、本実施形態のロックユニットの左側面図である。図１３は、本実施形態のロックユニットの背面図である。図１４は、図１３におけるＣ−Ｃ断面図である。ロックユニット７は、接地端子ユニット６をベースユニット５に固定するための部材であると共に、第１シャフト２１及び第２シャフト２２の相対回転を規制するための部材である。図１１から図１４に示すように、ロックユニット７は、ケース７１と、ロック部材７５と、を備える。
【００２８】
図１４に示すように、ケース７１は、ナット溝７２と、ケース雌ネジ７３と、ケース孔７４と、連結紐取付部７９と、を備える。ナット溝７２には、ベースユニット５のナット５７（図６から図８参照）が嵌まる。ナット５７が六角ナットである場合、ナット溝７２は図１３に示すように六角形状である。ケース雌ネジ７３は、ナット溝７２に繋がっている。ケース雌ネジ７３は、ナット溝７２の底面７２１に設けられる。ナット５７がナット溝７２に嵌まると、ナット５７が底面７２１に接することで位置決めされる。また、ケース雌ネジ７３の最小内径Ｄ７３は、ベース雄ネジ５３の最大内径Ｄ５３（図７及び図８参照）よりも大きい。これにより、ベース雄ネジ５３及び凸部５５は、ケース雌ネジ７３の中に入ることができる。ケース孔７４は、ケース雌ネジ７３に繋がり、ケース７１の外部に開口している。すなわち、ケース孔７４は、ケース雌ネジ７３の底面７３１からケース７１の表面まで貫通している。連結紐取付部７９は、連結紐１２を固定するための部材である。連結紐１２によってケース７１と第１シャフト２１が連結されているので（図１参照）、ロックユニット７の落下が防止される。
【００２９】
ロック部材７５は、ケース７１から出入りできる。図１４に示すように、ロック部材７５は、頭部７６と、ロック雄ネジ７７と、を備える。頭部７６は、ベースユニット５の凸部５５（図６から図８参照）に嵌まる凹部７６１と、ケース雌ネジ７３に噛み合うネジ山７６２と、を有する。ロック部材７５の長手方向から見た凹部７６１は、例えば矩形である。ロック部材７５の長手方向から見た凹部７６１が描く矩形の短辺の長さは、ベース雄ネジ５３の長手方向から見た凸部５５が描く矩形の短辺の長さと略等しい。ロック部材７５の長手方向から見た凹部７６１が描く矩形の長辺の長さは、ベース雄ネジ５３の長手方向から見た凸部５５が描く矩形の長辺の長さ以上である。ネジ山７６２は、ナット溝７２側から見て頭部７６が右回りに回転した場合に頭部７６がケース孔７４側に移動するように形成されている。すなわち、頭部７６は、ケース雌ネジ７３に対して、いわゆる右ネジとして移動する。
【００３０】
ロック雄ネジ７７は、頭部７６に連結されており、ケース孔７４を貫通している。ロック雄ネジ７７は、ケース雌ネジ７３と噛み合っていない。ロック雄ネジ７７のネジ山は、ナット溝７２側から見てロック雄ネジ７７が左回りに回転した場合に、ロック雄ネジ７７がシリンダー雌ネジ３０（図３参照）に侵入する方向に移動するように形成されている。すなわち、ロック雄ネジ７７は、シリンダー雌ネジ３０に対していわゆる左ネジとして移動する。
【００３１】
図７に示すナット５７及びワッシャ５８は、予め所定の位置に配置されている。図１４に示す頭部７６は、予めケース７１内の所定の位置に配置されている。例えば、ナット５７、ワッシャ５８及び頭部７６は、図１４に示す距離Ｌ６が図７に示す距離Ｌ２と図１０に示す厚さＬ４との差に等しくなるように配置される。距離Ｌ６は、頭部７６からケース雌ネジ７３の底面７３１までの距離である。距離Ｌ２は、第１金属プレート５１からワッシャ５８までの距離である。厚さＬ４は、第２金属プレート６１の厚さである。
【００３２】
例えば、図１４に示す距離Ｌ７は、図７に示す距離Ｌ３に等しい。距離Ｌ７は、ナット溝７２の底面７２１から凹部７６１の底面７６１１までの距離である。距離Ｌ３は、ナット５７から凸部５５の先端までの距離である。
【００３３】
例えば、図１４に示す距離Ｌ６と距離Ｌ５との和は、図３に示す距離Ｌ１に等しい。距離Ｌ５は、ケース孔７４が設けられたケース７１の表面からロック雄ネジ７７の先端までの距離である。すなわち、距離Ｌ５は、ケース７１からロック雄ネジ７７が突出する長さである。距離Ｌ１は、シリンダー雌ネジ３０の深さと、第１孔２１０の深さ（第１シャフト２１の肉厚）と、第２孔２２０の深さ（第２シャフト２２の肉厚）と、の和である。
【００３４】
図１５は、アースフックユニットを用いた接地方法を示すフローチャートである。図１６から図２４は、アースフックユニットを用いた接地方法の一工程を示す図である。
【００３５】
図１６に示すように、ベースユニット５は、予め接地極１００に固定されている。接地極１００は、例えば鉄塔である。ボルト１０１及びナット１０２により、ベースユニット５の第１金属プレート５１が接地極１００に固定されている。ボルト１０１は、図６に示す孔５２に取り付けられている。
【００３６】
本実施形態のアースフックユニット１を用いた接地方法においては、まず図１７に示すように、ベース雄ネジ５３に第２金属プレート６１が取り付けられる（図１５のステップＳ１１）。図１８に示すように、ベース雄ネジ５３がスリット６２に引っ掛けられる。
【００３７】
ステップＳ１１の次に、図１９に示すように、ナット５７がロックユニット７で回転させられる（図１５のステップＳ１２）。具体的には、ナット５７がナット溝７２に嵌められると共に、凸部５５が頭部７６の凹部７６１に嵌められる。その後、ケース７１は、例えばロック雄ネジ７７の先端側から見て右回りに回転させられる。これにより、ナット５７が第１金属プレート５１に近付いていく。これと同時に、ナット溝７２側から見て頭部７６がケース７１に対して相対的に右回りに回転するので、ロック部材７５がナット５７から遠ざかる。このため、ロック部材７５のロック雄ネジ７７のうちケース７１から突出する部分の長さ（距離Ｌ５）が大きくなっていく。
【００３８】
第２金属プレート６１がまだ固定されていない場合（図１５のステップＳ１３、Ｎｏ）、ナット５７がロックユニット７で回転させられ続ける（図１５のステップＳ１２）。図２０に示すように第２金属プレート６１が固定された場合（図１５のステップＳ１３、Ｙｅｓ）、図２１に示すようにベースユニット５のナット５７からロックユニット７が取り外される（図１５のステップＳ１４）。上述したように、距離Ｌ６（図１４参照）が距離Ｌ２（図７参照）と厚さＬ４（図１０参照）との差に等しいので、ステップＳ１４において頭部７６はケース雌ネジ７３の底面７３１に接している。また、ステップＳ１４での距離Ｌ５は、距離Ｌ１（図３参照）に等しくなっている。
【００３９】
ステップＳ１４の次に、シリンダー雌ネジ３０及び第１孔２１０に第２孔２２０が重ねられる（図１５のステップＳ１５）。例えば、図２２に示すように、シリンダー雌ネジ３０及び第１孔２１０に第２孔２２０が重なるように第２シャフト２２が回転させられる。なお、第１シャフト２１が回転させられてもよい。
【００４０】
ステップＳ１５の次に、図２３及び図２４に示すようにロック部材７５がシリンダー雌ネジ３０、第１孔２１０及び第２孔２２０に取り付けられる（図１５のステップＳ１６）。図２３に示すように、ロック雄ネジ７７がシリンダー雌ネジ３０に挿入される。この時、ロックユニット７は、ナット溝７２側から見て左回りに回転させられる。上述したように、ロック雄ネジ７７はシリンダー雌ネジ３０に対して左ネジなので、ロック雄ネジ７７がシリンダー雌ネジ３０の中に入っていく。一方、上述したように頭部７６がケース雌ネジ７３に対して右ネジであり且つ頭部７６が底面７３１に接しているので、頭部７６は移動しない（緩まない）。また、図２３の状態での距離Ｌ５が距離Ｌ１に等しいので、図２４に示すように、ロック雄ネジ７７は、シリンダー雌ネジ３０、第１孔２１０及び第２孔２２０に嵌まる。これにより、第１シャフト２１及び第２シャフト２２の相対回転が規制される。
【００４１】
ステップＳ１６の次に、第１シャフト２１を回転させることでフック９２（図５参照）を開閉し、把持具９により電線Ｗが把持される（図１５のステップＳ１７）。これにより、電線Ｗが、把持具９、接地ケーブル１１、接地端子ユニット６、ベースユニット５、接地極１００を介して接地される。
【００４２】
このように、アースフックユニット１を用いた接地方法においては、第２金属プレート６１がベースユニット５に固定されない限り、フック９２を開閉できない。このため、必然的に、作業員は、第２金属プレート６１をベースユニット５に固定する作業を、電線Ｗに把持具９を取り付ける作業よりも先に行うことになる。したがって、感電事故が抑制される。
【００４３】
図２５は、アースフックユニットを用いた接地解除方法を示すフローチャートである。図２６から図２８は、アースフックユニットを用いた接地解除方法の一工程を示す図である。
【００４４】
本実施形態のアースフックユニット１を用いた接地解除方法においては、まず第１シャフト２１を回転させることでフック９２（図５参照）を開閉し、把持具９が電線Ｗから取り外される（図２５のステップＳ２１）。
【００４５】
ステップＳ２１の次に、図２６に示すように、ロック部材７５がシリンダー雌ネジ３０から取り外される（図２５のステップＳ２２）。ステップＳ２２において、ロックユニット７は、ナット溝７２側から見て右回りに回転させられる。
【００４６】
ステップＳ２２の次に、図２７に示すように、ナット５７がロックユニット７で回転させられる（図２５のステップＳ２３）。ステップＳ２３において、ロックユニット７は、ロック雄ネジ７７の先端側から見て左回りに回転させられる。これにより、ナット５７が第１金属プレート５１から遠ざかる。これと同時に、ロック部材７５がナット５７に近付く。
【００４７】
ステップＳ２３の次に、図２８に示すように、ベース雄ネジ５３から第２金属プレート６１が取り外される（図２５のステップＳ２４）。これにより、ベースユニット５を除きアースフックユニット１が運搬可能となる。ベースユニット５は、作業終了後において接地極１００に取り付けられたままにされてもよいし、取り外されてもよい。ベースユニット５が取り外されればベースユニット５を含むアースフックユニット１が運搬可能となる。
【００４８】
なお、必ずしも、図１４に示す距離Ｌ６が図７に示す距離Ｌ２と図１０に示す厚さＬ４との差に等しくなくてもよい。例えば、図１４に示す距離Ｌ６が、図７に示す距離Ｌ２と図１０に示す厚さＬ４との差よりも大きくてもよい。すなわち、第２金属プレート６１が第１金属プレート５１とワッシャ５８とに接した状態において、頭部７６がケース雌ネジ７３の底面７３１に接していなくてもよい。
【００４９】
なお、必ずしも、図１４に示す距離Ｌ７が図７に示す距離Ｌ３に等しくなくてもよい。図７に示す距離Ｌ３は、ナット５７がナット溝７２の底面７２１に接した状態において凸部５５が凹部７６１に嵌まるために十分な長さであればよい。
【００５０】
なお、必ずしも、図１４に示す距離Ｌ６と距離Ｌ５との和（図２０の状態での距離Ｌ５）が、図３に示す距離Ｌ１に等しくなくてもよい。例えば、図１４に示す距離Ｌ６と距離Ｌ５との和が、図３に示す距離Ｌ１よりも大きくてもよい。すなわち、ロックユニット７がシリンダー３に取り付けられた状態で、ロック雄ネジ７７が第２孔２２０を貫通し、第２シャフト２２の内周面から突出してもよい。また、図１４に示す距離Ｌ６と距離Ｌ５との和が、図３に示す距離Ｌ１よりも小さくてもよい。ただし、図１４に示す距離Ｌ６と距離Ｌ５との和は、シリンダー雌ネジ３０の深さと、第１孔２１０の深さとの和よりも大きい必要がある。すなわち、ロックユニット７がシリンダー３に取り付けられた状態で、ロック雄ネジ７７が少なくともシリンダー雌ネジ３０及び第１孔２１０を貫通する。
【００５１】
なお、シリンダー雌ネジ３０がネジ山を有さない孔であり、第１孔２１０又は第２孔２２０の内周面にネジ山が設けられてもよい。また、シリンダー雌ネジ３０、第１孔２１０及び第２孔２２０にネジ山が設けられていてもよい。また、アースフックユニット１は、必ずしもシリンダー３を備えていなくてもよい。この場合、例えば、第１孔２１０又は第２孔２２０の内周面にネジ山が設けられ、このネジ山にロック雄ネジ７７が噛み合えばよい。
【００５２】
なお、ロック部材７５は、必ずしもロック雄ネジ７７を有していなくてもよい。例えば、ロック部材７５は、ロック雄ネジ７７に代えて、ネジ山を有さないロッドを備えていてもよい。このような場合であっても、ロック部材７５のロッドが第１孔２１０及び第２２０に挿入されることで、第１シャフト２１及び第２シャフト２２の相対回転が規制される。
【００５３】
以上で説明したように、アースフックユニット１は、操作棒２と、把持具９と、ベースユニット５と、接地端子ユニット６と、ロックユニット７と、を備える。操作棒２は、第１シャフト２１、及び第１シャフト２１に対して相対回転できるように第１シャフト２１に連結される第２シャフト２２を有する。把持具９は、第２シャフト２２の回転に応じて開閉するフック９２を有する。ベースユニット５は、接地極１００に取り付けられる。接地端子ユニット６は、把持具９と電気的に接続される。ロックユニット７は、ケース７１、及びケース７１から出入りできるロック部材７５を有する。ロックユニット７を用いて接地端子ユニット６がベースユニット５に固定されると、ロック部材７５がケース７１から突出する。ロック部材７５がケース７１から突出した状態のロックユニット７は、第１シャフト２１及び第２シャフト２２の相対回転を規制できる。
【００５４】
これにより、接地端子ユニット６がベースユニット５に固定されない限り、第１シャフト２１及び第２シャフト２２は相対回転する。この状態では、作業員は、フック９２を開閉できないので、把持具９を電線Ｗに取り付けられない。すなわち、作業員は、接地端子ユニット６をベースユニット５に固定した後でなければ、把持具９を電線Ｗに取り付けられない。このため、作業員が把持具９を電線Ｗに取り付ける時点では、接地端子ユニット６がベースユニット５に固定されているので、電線Ｗの電気は接地極１００に流れる。したがって、アースフックユニット１は、感電事故の発生を抑制できる。
【００５５】
また、アースフックユニット１は、第１シャフト２１の外周に設けられるシリンダー３を備える。第２シャフト２２の少なくとも一部は、第１シャフト２１の内側に位置する。第１シャフト２１は、第１孔２１０を備える。第２シャフト２２は、第１孔２１０に重なる第２孔２２０を備える。シリンダー３は、第１孔２１０に重なるシリンダー雌ネジ３０を備える。ロック部材７５は、シリンダー雌ネジ３０に噛み合い且つ第１孔２１０を貫通するロック雄ネジ７７を備える。
【００５６】
これにより、ロック雄ネジ７７がシリンダー雌ネジ３０に固定されるので、ロック部材７５の操作棒２からの脱落が抑制される。このため、フック９２を開閉する作業がより容易になる。
【００５７】
また、アースフックユニット１においては、ベースユニット５は、第１金属プレート５１と、第１金属プレート５１から突出するベース雄ネジ５３と、ベース雄ネジ５３の先端に設けられた凸部５５と、ベース雄ネジ５３に取り付けられたナット５７と、を備える。接地端子ユニット６は、ベース雄ネジ５３に嵌まる第２金属プレート６１を備える。ケース７１は、ナット５７が嵌まるナット溝７２と、ナット溝７２に繋がるケース雌ネジ７３と、ケース雌ネジ７３に繋がりケース７１の外部に開口するケース孔７４と、を備える。ロック部材７５は、凸部５５に嵌まる凹部７６１を有すると共にケース雌ネジ７３に噛み合うネジ山７６２を有する頭部７６を備え、ケース孔７４を貫通する。
【００５８】
これにより、ナット５７がナット溝７２に嵌まった状態でロックユニット７が回転させられると、第２金属プレート６１が第１金属プレート５１に接してベースユニット５に固定される。これと同時に、ロック部材７５のうちケース７１から突出する部分が長くなる。このため、作業員は、第２金属プレート６１をベースユニット５に固定する作業を行わない限り、フック９２を開閉できない。このため、必然的に、作業員は、第２金属プレート６１をベースユニット５に固定する作業を、電線Ｗに把持具９を取り付ける作業よりも先に行うことになる。したがって、アースフックユニット１は、感電事故の発生を抑制できる。
【００５９】
（変形例）
図２９は、変形例のアースフックユニットの概略図である。図３０は、変形例のシリンダーの正面図である。図３１は、図３０におけるＤ−Ｄ断面図である。なお、上述した実施形態で説明したものと同じ構成要素には同一の符号を付して重複する説明は省略する。
【００６０】
変形例のアースフックユニット１Ａは、上述した操作棒２とは異なる操作棒２Ａを備える。操作棒２Ａは、第１シャフト２１Ａと、第２シャフト２２Ａと、を備える。
【００６１】
図３１に示すように、第１シャフト２１Ａの一部が第２シャフト２２Ａの内側に挿入されている。例えば、第１シャフト２１Ａの外径は第２シャフト２２Ａの内径に略等しい。第２シャフト２２Ａは、第１シャフト２１Ａに対して相対回転できるように第１シャフト２１Ａに連結されている。例えば、図３１に示すように、第２シャフト２２Ａがストッパー２２５Ａを備えており、第１シャフト２１Ａが環状溝２１５Ａを備えている。ストッパー２２５Ａは、環状溝２１５Ａに嵌まっている。これにより、第２シャフト２２Ａが第１シャフト２１Ａに対して相対回転できる。また、第１シャフト２１Ａが第２シャフト２２Ａから抜け落ちない。
【００６２】
図３１に示すように、変形例のシリンダー３Ａは、第２シャフト２２Ａに設けられている。より具体的には、シリンダー３Ａは、第２シャフト２２Ａの外周面にネジ等によって取り付けられている。シリンダー３Ａは、径方向において第１シャフト２１Ａ及び第２シャフト２２Ａに重なっている。図３１に示すように、シリンダー３Ａのシリンダー雌ネジ３０Ａは、第２孔２２０Ａに重なっている。シリンダー雌ネジ３０Ａは、第２シャフト２２Ａの回転角度に応じて第１孔２１０Ａに重なることができる。
【００６３】
上述したように、アースフックユニット１Ａは、第２シャフト２２Ａの外周に設けられるシリンダー３Ａを備える。第１シャフト２１Ａの少なくとも一部は、第２シャフト２２Ａの内側に位置する。第１シャフト２１Ａは、第１孔２１０Ａを備える。第２シャフト２２Ａは、第１孔２１０Ａに重なる第２孔２２０Ａを備える。シリンダー３Ａは、第２孔２２０Ａに重なるシリンダー雌ネジ３０Ａを備える。ロック部材７５は、シリンダー雌ネジ３０Ａに噛み合い且つ第２孔２２０Ａを貫通するロック雄ネジ７７を備える。
【００６４】
これにより、ロック雄ネジ７７がシリンダー雌ネジ３０Ａに固定されるので、ロック部材７５の操作棒２Ａからの脱落が抑制される。このため、フック９２を開閉する作業がより容易になる。
【符号の説明】
【００６５】
１、１Ａ  アースフックユニット
１００  接地極
１１  接地ケーブル
１２  連結紐
２、２Ａ  操作棒
２１、２１Ａ  第１シャフト
２１０、２１０Ａ  第１孔
２１５  ストッパー
２１５Ａ  環状溝
２２、２２Ａ  第２シャフト
２２０、２２０Ａ  第２孔
２２５  環状溝
２２５Ａ  ストッパー
３、３Ａ  シリンダー
３０、３０Ａ  シリンダー雌ネジ
５  ベースユニット
５１  第１金属プレート
５３  ベース雄ネジ
５５  凸部
５７  ナット
５８  ワッシャ
６  接地端子ユニット
６１  第２金属プレート
６２  スリット
６２１  横スリット
６２２  縦スリット
６３  ケーブル固定部材
６４  ボルト
６５  ナット
７  ロックユニット
７１  ケース
７２  ナット溝
７２１  底面
７３  ケース雌ネジ
７３１  底面
７４  ケース孔
７５  ロック部材
７６  頭部
７６１  凹部
７６１１  底面
７６２  ネジ山
７７  ロック雄ネジ
７９  連結紐取付部
９  把持具
９１  基部
９２  フック
９３  回転棒
９４  第１歯車
９５  第２歯車
９７  ケーブル支持部
Ｗ  電線
【図１】
2019033646.tif 000003
【図２】
2019033646.tif 000004
【図３】
2019033646.tif 000005
【図４】
2019033646.tif 000006
【図５】
2019033646.tif 000007
【図６】
2019033646.tif 000008
【図７】
2019033646.tif 000009
【図８】
2019033646.tif 000010
【図９】
2019033646.tif 000011
【図１０】
2019033646.tif 000012
【図１１】
2019033646.tif 000013
【図１２】
2019033646.tif 000014
【図１３】
2019033646.tif 000015
【図１４】
2019033646.tif 000016
【図１５】
2019033646.tif 000017
【図１６】
2019033646.tif 000018
【図１７】
2019033646.tif 000019
【図１８】
2019033646.tif 000020
【図１９】
2019033646.tif 000021
【図２０】
2019033646.tif 000022
【図２１】
2019033646.tif 000023
【図２２】
2019033646.tif 000024
【図２３】
2019033646.tif 000025
【図２４】
2019033646.tif 000026
【図２５】
2019033646.tif 000027
【図２６】
2019033646.tif 000028
【図２７】
2019033646.tif 000029
【図２８】
2019033646.tif 000030
【図２９】
2019033646.tif 000031
【図３０】
2019033646.tif 000032
【図３１】
2019033646.tif 000033